(57)【要約】【課題】媒体のセキュリティスレッド部に対応する厚さデータに基づいてテープが貼（てん）付された貼（は）り合わせ券であるか否かを判別するようにして、セキュリティスレッドにスレッドウィンドウパタンが形成された媒体であっても、セキュリティスレッド部にテープが貼付されているか否かを確実に判定することができるようにする。【解決手段】媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、前記スレッド部厚さデータの分散を算出する厚さデータ解析部と、算出された分散の値をあらかじめ設定された判定閾（しきい）値と比較して、前記セキュリティスレッド部にテープが貼付されているか否かを判定する判定部とを有する。【選択図】図１
2009129390.tif 000002
【特許請求の範囲】
【請求項１】
（ａ）媒体の各部に対応する各チャンネルの厚さ検出センサが検出した厚さデータを取得する厚さデータ取得部と、
（ｂ）前記厚さデータの中から前記媒体のセキュリティスレッド部に対応するスレッド部厚さデータを取得するスレッド部厚さデータ取得部と、
（ｃ）前記スレッド部厚さデータの分散を算出する厚さデータ解析部と、
（ｄ）算出された分散の値をあらかじめ設定された判定閾値と比較して、前記セキュリティスレッド部にテープが貼付されているか否かを判定する判定部とを有することを特徴とする媒体鑑別装置。
【請求項２】
前記スレッド部厚さデータは、前記セキュリティスレッド部のスレッドウィンドウパタンに対応する凹凸を含む波形を備える請求項１に記載の媒体鑑別装置。
【請求項３】
（ａ）媒体の各部に対応する各チャンネルの厚さ検出センサが検出した厚さデータを取得する厚さデータ取得部と、
（ｂ）前記厚さデータの中から前記媒体のセキュリティスレッド部に対応するスレッド部厚さデータを取得するスレッド部厚さデータ取得部と、
（ｃ）複数の真正な媒体のスレッド部厚さデータを平均化して平均スレッド部厚さデータを作成する特徴データ集計部と、
（ｄ）前記平均スレッド部厚さデータを辞書データとして出力する辞書データ出力部とを有することを特徴とする媒体鑑別装置。
【請求項４】
前記スレッド部厚さデータの波形の補正を行う厚さデータ解析部と、
前記辞書データを格納する辞書データ格納部と、
補正されたスレッド部厚さデータの波形を前記辞書データの波形と比較して、前記セキュリティスレッド部にテープが貼付されているか否かを判定する判定部とを更に有する請求項３に記載の媒体鑑別装置。
【請求項５】
前記判定部は、補正されたスレッド部厚さデータの波形と前記辞書データの波形とのユークリッド距離に基づいて判定する請求項４に記載の媒体鑑別装置。
【請求項６】
（ａ）媒体の各部に対応する各チャンネルの厚さ検出センサが検出した厚さデータを取得する厚さデータ取得部と、
（ｂ）前記厚さデータの中から前記媒体のセキュリティスレッド部に対応するスレッド部厚さデータを取得するスレッド部厚さデータ取得部と、
（ｃ）前記スレッド部厚さデータを複数の領域に分割し、各領域のスレッド部厚さデータの分散を算出する領域別厚さデータ解析部と、
（ｄ）領域毎の分散の値を比較して、前記セキュリティスレッド部にテープが貼付されているか否かを判定する判定部とを有することを特徴とする媒体鑑別装置。
【請求項７】
（ａ）媒体の各部に対応する各チャンネルの厚さ検出センサが検出した厚さデータを取得する厚さデータ取得部と、
（ｂ）前記厚さデータの中から前記媒体のセキュリティスレッド部に対応するスレッド部厚さデータを取得するスレッド部厚さデータ取得部と、
（ｃ）前記スレッド部厚さデータの波形に含まれる凸部の個数をカウントする凹凸特徴データ解析部と、
（ｄ）カウントされた凸部の個数をあらかじめ設定された判定閾値と比較して、前記セキュリティスレッド部にテープが貼付されているか否かを判定する判定部とを有することを特徴とする媒体鑑別装置。
【請求項８】
（ａ）媒体の各部に対応する各チャンネルの厚さ検出センサが検出した厚さデータを取得する厚さデータ取得部と、
（ｂ）前記厚さデータの中から前記媒体のセキュリティスレッド部に対応するスレッド部厚さデータを取得するスレッド部厚さデータ取得部と、
（ｃ）前記厚さデータの中から前記媒体のセキュリティスレッド部に隣接する部分に対応する隣接チャンネル厚さデータを取得する隣接チャンネル厚さデータ取得部と、
（ｄ）前記隣接チャンネル厚さデータの平均値を算出して基準を作成する隣接チャンネル厚さデータ解析部と、
（ｅ）前記スレッド部厚さデータと基準との差異を算出して判定特徴値を作成する厚さ判定特徴データ解析部と、
（ｆ）作成された判定特徴値をあらかじめ設定された判定閾値と比較して、前記セキュリティスレッド部にテープが貼付されているか否かを判定する判定部とを有することを特徴とする媒体鑑別装置。
【発明の詳細な説明】
【技術分野】
【０００１】
本発明は、媒体鑑別装置に関するものである。
【背景技術】
【０００２】
従来、銀行、信用金庫、郵便局、消費者金融会社等の金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置や両替機、また、商店や路上に配設された自動販売機等には、紙幣等の媒体の真偽を判別したり、媒体の種別を判別するための媒体鑑別装置が配設されている。該媒体鑑別装置が紙幣等の媒体の真偽を判別することによって、偽造紙幣等の不正な媒体を排除することができる。
【０００３】
近年では、本物の媒体の一部を切り取って部分的に偽物の券を貼（は）り合わせた偽造紙幣、すなわち、貼り合わせ券の流通が増加している。そこで、媒体の厚みを検出したり、テープ等の付着物を検出することによって、多様な媒体の真偽を判別することができる媒体鑑別装置に関する技術が提案されている（例えば、特許文献１及び２参照。）。
【特許文献１】特開２００６−２２６８５９号公報
【特許文献２】特開２００２−３０３６７９号公報
【発明の開示】
【発明が解決しようとする課題】
【０００４】
しかしながら、前記従来の媒体鑑別装置においては、メカ的な方法で媒体の厚みを検出するようになっているので、海外紙幣のように、印刷の凹凸が大きい媒体や、媒体自体の厚さが厚い媒体や、媒体の内部にプラスチックフィルム等から成る線状又はテープ状のセキュリティスレッドが埋め込まれ、かつ、該セキュリティスレッドが厚い媒体などを鑑別の対象にした場合、貼り合わせ券を確実に判別することは困難である。特に、セキュリティスレッドにスレッドウィンドウパタンと呼ばれる凹凸の模様がある媒体には、セキュリティスレッドの部分にテープを付着させた貼り合わせ券が多数存在する。このような貼り合わせ券の場合、単純にテープの厚みだけに基づいて媒体を鑑別しようとすると、スレッドウィンドウパタンの厚さとテープの厚さとの区別がつかないので、貼り合わせ券を確実に判別することは困難である。
【０００５】
本発明は、前記従来の媒体鑑別装置の問題点を解決して、媒体のセキュリティスレッド部に対応する厚さデータに基づいてテープが貼（てん）付された貼り合わせ券であるか否かを判別するようにして、セキュリティスレッドにスレッドウィンドウパタンが形成された媒体であっても、セキュリティスレッド部にテープが貼付されているか否かを確実に判定することができる媒体鑑別装置を提供することを目的とする。
【課題を解決するための手段】
【０００６】
そのために、本発明の媒体鑑別装置においては、媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、前記スレッド部厚さデータの分散を算出する厚さデータ解析部と、算出された分散の値をあらかじめ設定された判定閾（しきい）値と比較して、前記セキュリティスレッド部にテープが貼付されているか否かを判定する判定部とを有する。
【０００７】
本発明の他の媒体鑑別装置においては、さらに、前記スレッド部厚さデータは、前記セキュリティスレッド部のスレッドウィンドウパタンに対応する凹凸を含む波形を備える。
【０００８】
本発明の更に他の媒体鑑別装置においては、媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、複数の真正な媒体のスレッド部厚さデータを平均化して平均スレッド部厚さデータを作成する特徴データ集計部と、前記平均スレッド部厚さデータを辞書データとして出力する辞書データ出力部とを有する。
【０００９】
本発明の更に他の媒体鑑別装置においては、さらに、前記スレッド部厚さデータの波形の補正を行う厚さデータ解析部と、前記辞書データを格納する辞書データ格納部と、補正されたスレッド部厚さデータの波形を前記辞書データの波形と比較して、前記セキュリティスレッド部にテープが貼付されているか否かを判定する判定部とを更に有する。
【００１０】
本発明の更に他の媒体鑑別装置においては、さらに、前記判定部は、補正されたスレッド部厚さデータの波形と前記辞書データの波形とのユークリッド距離に基づいて判定する。
【００１１】
本発明の更に他の媒体鑑別装置においては、媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、前記スレッド部厚さデータを複数の領域に分割し、各領域のスレッド部厚さデータの分散を算出する領域別厚さデータ解析部と、領域毎の分散の値を比較して、前記セキュリティスレッド部にテープが貼付されているか否かを判定する判定部とを有する。
【００１２】
本発明の更に他の媒体鑑別装置においては、媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、前記スレッド部厚さデータの波形に含まれる凸部の個数をカウントする凹凸特徴データ解析部と、カウントされた凸部の個数をあらかじめ設定された判定閾値と比較して、前記セキュリティスレッド部にテープが貼付されているか否かを判定する判定部とを有する。
【００１３】
本発明の更に他の媒体鑑別装置においては、媒体の各部に対応する各チャンネルの厚さ検出センサが検出した厚さデータを取得する厚さデータ取得部と、前記厚さデータの中から前記媒体のセキュリティスレッド部に対応するスレッド部厚さデータを取得するスレッド部厚さデータ取得部と、前記厚さデータの中から前記媒体のセキュリティスレッド部に隣接する部分に対応する隣接チャンネル厚さデータを取得する隣接チャンネル厚さデータ取得部と、前記隣接チャンネル厚さデータの平均値を算出して基準を作成する隣接チャンネル厚さデータ解析部と、前記スレッド部厚さデータと基準との差異を算出して判定特徴値を作成する厚さ判定特徴データ解析部と、作成された判定特徴値をあらかじめ設定された判定閾値と比較して、前記セキュリティスレッド部にテープが貼付されているか否かを判定する判定部とを有する。
【発明の効果】
【００１４】
本発明によれば、媒体鑑別装置は、媒体のセキュリティスレッド部に対応する厚さデータに基づいてテープが貼付された貼り合わせ券であるか否かを判別する。これにより、セキュリティスレッドにスレッドウィンドウパタンが形成された媒体であっても、セキュリティスレッド部にテープが貼付されているか否かを確実に判定することができる。
【発明を実施するための最良の形態】
【００１５】
以下、本発明の実施の形態について図面を参照しながら詳細に説明する。
【００１６】
図２は本発明の第１の実施の形態における媒体鑑別装置の構成を示すブロック図である。
【００１７】
図において、１０は本実施の形態における媒体鑑別装置であり、ＡＴＭ、ＣＤ等の自動取引装置、自動販売機、両替機、ゲーム機等の装置に配設され、媒体１１の真偽を判別するために使用される。ここで、該媒体１１は、例えば、紙幣であるが、ビール券、ギフト券、商品券等の金券、トラベラーズチェック、小切手、株券等の有価証券、入場券等の施設利用券、切符、帳票、カード、通帳等であってもよく、いかなる種類のものであってもよい。本実施の形態においては、説明の都合上、前記媒体１１が紙幣であって、後述されるセキュリティスレッド部１２を備えるものである場合について説明する。
【００１８】
この場合、前記媒体鑑別装置１０は、媒体１１のセキュリティスレッド部１２にテープが貼付されているか否かに基づいて、媒体１１が貼り合わせ券であるか否かを判別するものであるが、媒体１１の大きさ、形状、姿勢等を認識することができるものであってもよいし、さらに、認識した媒体１１の大きさ等に基づいて、該媒体１１の種類を判別することができるものであってもよい。例えば、媒体１１が我が国の紙幣である場合、千円札、二千円札、五千円札及び一万円札の４種類の金種の紙幣について、種類を判別することができることが望ましい。
【００１９】
そして、前記媒体鑑別装置１０は、自動取引装置のように媒体１１としての紙幣を受領する装置における紙幣の搬送路や紙幣の取扱装置に配設され、受領した紙幣の真偽を判別する。なお、前記紙幣を受領する装置は、一般的には、銀行、信用金庫、郵便局、消費者金融会社等の金融機関の支店等の営業店や、コンビニエンスストア、スーパーマーケット等の商店の店舗に配設されているＡＴＭ、ＣＤ等の自動取引装置であるが、紙幣を受領するための装置であれば、鉄道、バス等の交通機関の券売機、飲料、タバコ等の自動販売機、両替機、ゲーム機等いかなる装置であってもよい。そして、前記紙幣を受領する装置は、前記媒体鑑別装置１０が判別した真偽に基づいて、貼り合わせ券等を不正な紙幣として排除する。
【００２０】
本実施の形態において、前記媒体鑑別装置１０は、ＣＰＵ、ＭＰＵ等の演算手段、磁気ディスク、半導体メモリ等の記憶手段、通信インターフェイス等を有する。さらに、前記媒体鑑別装置１０は、厚さデータ取得部２１、厚さデータ格納部２２、スレッド部厚さデータ取得部２３、スレッド部厚さデータ格納部２４、厚さデータ解析部２５、特徴データ格納部２６、判定部２７、判定閾値格納部２８及び結果出力部２９を有する。
【００２１】
ここで、厚さデータ取得部２１は、後述される厚さ検出装置１３が備える複数チャンネルの厚さ検出センサ１４が検出した媒体１１の各部の厚さを、チャンネル毎の厚さデータとして取得する。そして、厚さデータ格納部２２は、前記厚さデータ取得部２１が取得した媒体１１の厚さデータをチャンネル毎に格納する。
【００２２】
また、スレッド部厚さデータ取得部２３は、前記厚さデータ格納部２２に格納された厚さデータの中から、セキュリティスレッド部１２が通過するチャンネルの厚さデータのみをスレッド部厚さデータとして取得する。そして、スレッド部厚さデータ格納部２４は、前記スレッド部厚さデータ取得部２３が取得したスレッド部厚さデータを格納する。
【００２３】
さらに、厚さデータ解析部２５は、前記スレッド部厚さデータ格納部２４に格納されたスレッド部厚さデータの解析を行う。そして、特徴データ格納部２６は、前記厚さデータ解析部２５がスレッド部厚さデータの解析を行うことによって得られた特徴データを格納する。
【００２４】
また、判定部２７は、あらかじめ判定閾値格納部２８に格納された判定閾値と、前記特徴データ格納部２６に格納された特徴値とを比較し、媒体１１にテープが貼付されているか否かを判定する。そして、結果出力部２９は、前記判定部２７の判定結果を受けて、該判定結果を媒体鑑別装置１０が備える図示されない画面及びファイルに出力する。
【００２５】
次に、前記媒体鑑別装置１０が有する厚さ検出装置１３の構成について説明する。
【００２６】
図１は本発明の第１の実施の形態における厚さ検出装置の構成を示す平断面図、図３は本発明の第１の実施の形態における媒体を示す図、図４は本発明の第１の実施の形態における厚さ検出装置の構成を示す側断面図である。
【００２７】
図３に示されるように、媒体１１はセキュリティスレッド部１２を備える。該セキュリティスレッド部１２は、媒体１１の内部にプラスチックフィルム等から成る線状又はテープ状のセキュリティスレッドが埋め込まれた部分であり、媒体１１における他の部分よりも厚くなっている。そして、前記セキュリティスレッド部１２には、スレッドウィンドウパタンと呼ばれる凹凸の模様が形成されている。そのため、セキュリティスレッド部１２の厚さは、前記スレッドウィンドウパタンに対応して変化している。
【００２８】
そして、厚さ検出装置１３は、媒体１１の各部の厚さを検出するローラ状の厚さ検出センサ１４、及び、該厚さ検出センサ１４を回転可能に支持する中心軸１５を有する。該中心軸１５は、図４に示されるように、２本１組となっていて、互いに対向して平行となるように配設されている。そして、中心軸１５の各々に取り付けられた厚さ検出センサ１４が対を成し、媒体１１は、ローラとして機能する対向する厚さ検出センサ１４同士によって両面から挟まれた状態で、矢印ａで示される方向に搬送される。
【００２９】
また、図１に示されるように、各中心軸１５には、複数の厚さ検出センサ１４が軸方向（矢印ｂで示される方向）に並んで取り付けられている。該厚さ検出センサ１４の数は、任意に設定することができるが、本実施の形態においては、各中心軸１５に１０個ずつの厚さ検出センサ１４が取り付けられ、１０組のローラ対を形成するように並べられている場合について説明する。この場合、各組の厚さ検出センサ１４が各チャンネルに対応するので、厚さ検出装置１３は、合計１０チャンネルの厚さ検出センサ１４を備えることになる。図１に示される例においては、１〜１０のチャンネル番号が各厚さ検出センサ１４に付与されている。
【００３０】
そして、厚さ検出装置１３に搬入された媒体１１は、矢印ａで示される方向に搬送され、対向する厚さ検出センサ１４の間を通過する際に全範囲の厚さが、各チャンネルの厚さ検出センサ１４によって検出される。なお、媒体１１は、長方形の長辺が中心軸１５と平行になり、長方形の短辺が中心軸１５と直交するような姿勢で搬送される。また、セキュリティスレッド部１２は、長方形の短辺と平行に延在する。そして、検出された媒体１１の各部の厚さは、チャンネル毎の厚さデータとして取得される。
【００３１】
次に、前記構成の媒体鑑別装置１０の動作について説明する。まず、媒体１１の厚さを検出してからスレッド部厚さデータを格納するまでの動作について説明する。
【００３２】
図５は本発明の第１の実施の形態における厚さ検出装置が真正媒体の厚さを検出する動作を示す図、図６は本発明の第１の実施の形態における３チャンネルの厚さ検出センサが検出した真正媒体の厚さデータを示す図、図７は本発明の第１の実施の形態における５チャンネルの厚さ検出センサが検出した真正媒体の厚さデータを示す図、図８は本発明の第１の実施の形態における厚さ検出装置がテープ貼付媒体の厚さを検出する動作を示す図、図９は本発明の第１の実施の形態における３チャンネルの厚さ検出センサが検出したテープ貼付媒体の厚さデータを示す図、図１０は本発明の第１の実施の形態における５チャンネルの厚さ検出センサが検出したテープ貼付媒体の厚さデータを示す図である。
【００３３】
図５において、ＢＴは媒体１１の上端であり、ＢＢは媒体１１の下端である。また、１１ａは、テープが貼付されていない真正な媒体１１としての真正媒体である。そして、該真正媒体１１ａの各部における上端ＢＴから下端ＢＢまでの範囲の厚さは、図５に示されるように、１〜１０チャンネルの厚さ検出センサ１４の各々によって検出される。
【００３４】
図６は、真正媒体１１ａにおけるセキュリティスレッド部１２の存在しない部分に対応する３チャンネルの厚さ検出センサ１４が検出した上端ＢＴから下端ＢＢまでの範囲の厚さデータを示している。また、図７は、真正媒体１１ａにおけるセキュリティスレッド部１２の存在する部分に対応する５チャンネルの厚さ検出センサ１４が検出した上端ＢＴから下端ＢＢまでの範囲の厚さデータを示している。
【００３５】
セキュリティスレッド部１２には、図３及び５に示されるように、厚さの変化によってスレッドウィンドウパタンが形成され、該スレッドウィンドウパタンの部分が周辺の部分よりも厚くなっている。そのため、厚さを検出すると、真正媒体１１ａの場合には、図７に示されるように、凹凸が検出される。なお、凸部はスレッドウィンドウパタンの部分であり、凹部はスレッドウィンドウパタンの周辺の部分である。
【００３６】
また、図８において、１１ｂは、貼り合わせ券のようにテープ１８がセキュリティスレッド部１２に貼付された媒体１１としてのテープ貼付媒体である。そして、該テープ貼付媒体１１ｂの各部における上端ＢＴから下端ＢＢまでの範囲の厚さは、図８に示されるように、１〜１０チャンネルの厚さ検出センサ１４の各々によって検出される。
【００３７】
図９は、テープ貼付媒体１１ｂにおけるセキュリティスレッド部１２の存在しない部分に対応する３チャンネルの厚さ検出センサ１４が検出した上端ＢＴから下端ＢＢまでの範囲の厚さデータを示している。また、図１０は、テープ貼付媒体１１ｂにおけるセキュリティスレッド部１２の存在する部分に対応する５チャンネルの厚さ検出センサ１４が検出した上端ＢＴから下端ＢＢまでの範囲の厚さデータを示している。
【００３８】
そして、厚さデータ取得部２１は、１〜１０チャンネルの厚さ検出センサ１４の各々が検出した媒体１１の各部の厚さデータを取得し、厚さデータ格納部２２に格納する。
【００３９】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【００４０】
次に、スレッド部厚さデータの解析以降の動作について説明する。
【００４１】
図１１は本発明の第１の実施の形態における真正媒体のスレッド部厚さデータを示す図、図１２は本発明の第１の実施の形態におけるテープ貼付媒体のスレッド部厚さデータを示す図、図１３は本発明の第１の実施の形態におけるテープの影響によるスレッド部厚さデータの変化を示す図である。
【００４２】
厚さデータ解析部２５は、スレッド部厚さデータ格納部２４に格納されたスレッド部厚さデータの解析を行い、特徴データを取得する。本実施の形態においては、図１１及び１２に示されるようなスレッド部厚さデータの凹凸波形の分散を特徴データとする。
【００４３】
媒体１１が真正媒体１１ａである場合、図１１に示されるように、スレッド部厚さデータにスレッドウィンドウパタンの部分及びその周辺の部分の凹凸がはっきりと特徴として現れるので、スレッド部厚さデータの波形は、振幅の大きい凹凸波形となる。
【００４４】
これに対し、媒体１１がテープ貼付媒体１１ｂである場合、テープ１８がセキュリティスレッド部１２のスレッドウィンドウパタンの部分及びその周辺の部分の凹凸に密着しないので、テープ１８のプロフィールが図１３において太線で示されるようになる。そのため、テープ貼付媒体１１ｂの場合、スレッド部厚さデータにスレッドウィンドウパタンの部分及びその周辺の部分の凹凸がはっきり現れないので、スレッド部厚さデータの波形は、図１２に示されるように、振幅の小さい凹凸波形となる。
【００４５】
そこで、本実施の形態においては、媒体１１の上端ＢＴから下端ＢＢまでの範囲におけるスレッド部厚さデータの分散を求め、分散が大きい場合には媒体１１が真正媒体１１ａであると判定し、分散が小さい場合には媒体１１がテープ貼付媒体１１ｂであると判定する。
【００４６】
そして、分散は、次の式（１）によって計算することができる。
【００４７】
【数１】
2009129390.tif 000003
ここで、Ｖは分散、ｍは上端ＢＴから下端ＢＢまでの範囲においてスレッド部厚さデータの値をピックアップした点の個数、Ｘａｖｅは上端ＢＴから下端ＢＢまでの範囲におけるスレッド部厚さデータの平均値、Ｘｉは各点におけるスレッド部厚さデータの値である。なお、前記平均値Ｘａｖｅは、真正媒体１１ａの場合、図１１に示されるＬ１となり、テープ貼付媒体１１ｂの場合、図１２に示されるＬ２となる。
【００４８】
そして、厚さデータ解析部２５は、スレッド部厚さデータの解析において、媒体１１のスレッド部厚さデータの分散Ｖを前記式（１）によって算出し、算出した分散Ｖの値を媒体１１の特徴データとして特徴データ格納部２６に格納する。
【００４９】
一方、判定閾値格納部２８には、媒体１１が真正媒体１１ａであるか又はテープ貼付媒体１１ｂであるかを判定するための判定閾値があらかじめ格納されている。該判定閾値は、真正媒体１１ａのスレッド部厚さデータについて、前記式（１）によって分散Ｖを算出して特徴データとし、多数の真正媒体１１ａの特徴データの統計的データ集計により決定される。すなわち、真正媒体１１ａの母数に対して前記式（１）によって算出した分散Ｖの値の正規分布から、前記判定閾値が決定される。
【００５０】
続いて、判定部２７は、次の式（２）及び（３）によって、媒体１１が真正媒体１１ａであるか又はテープ貼付媒体１１ｂであるかを判定する。
【００５１】
真正媒体１１ａである：Ｖ≧Ｔｈｖ  …式（２）
テープ貼付媒体１１ｂである: Ｖ＜Ｔｈｖ  …式（３）
ここで、Ｔｈｖは判定閾値である。
【００５２】
例えば、媒体１１が真正媒体１１ａである場合の分散ＶをＶｔとする。この場合、平均値Ｌ１＝８０、振幅ＭＡＸ＝１００、振幅ＭＩＮ＝６０、上端ＢＴ＝１０、下端ＢＢ＝７０であるとすると、前記式（１）によって分散Ｖｔは
Ｖｔ＝４００
となる。
【００５３】
そして、真正媒体１１ａの母数による正規分布から判定閾値Ｔｈｖを、
Ｔｈｖ＝３００
と決める。
【００５４】
また、例えば、媒体１１がテープ貼付媒体１１ｂである場合の分散ＶをＶｆとする。この場合、平均値Ｌ２＝９０、振幅ＭＡＸ＝１００、振幅ＭＩＮ＝８０、上端ＢＴ＝１０、下端ＢＢ＝７０であるとすると、前記式（１）によって分散Ｖｆは
Ｖｆ＝１００
となる。
【００５５】
ここで、媒体１１のスレッド部厚さデータの分散Ｖの値が１００であるとすると、前記式（３）に該当するので、判定部２７は、媒体１１はテープ貼付媒体１１ｂである、と判定する。そして、判定部２７の判定結果は、結果出力部２９が出力する。
【００５６】
このように、本実施の形態においては、セキュリティスレッド部１２のスレッドウィンドウパタンの厚さデータの振幅を示す分散Ｖの値を判定閾値と比較することによって、媒体１１が真正媒体１１ａであるか又はテープ貼付媒体１１ｂであるかを判定するようになっている。これにより、セキュリティスレッド部１２に貼付されたテープ１８の存在を高精度で検出することができる。
【００５７】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５８】
図１４は本発明の第２の実施の形態における媒体鑑別装置の構成を示すブロック図である。
【００５９】
図に示されるように、本実施の形態における媒体鑑別装置１０は、スレッド部厚さデータを辞書データとして格納する辞書データ格納部３１を有する。なお、前記第１の実施の形態における判定閾値格納部２８は省略されている。そして、判定部２７は、辞書データ格納部３１にあらかじめ格納されている辞書データを用い、特徴データ格納部２６に格納された特徴データと比較し、媒体１１にテープ１８が貼付されているか否かを判定する。
【００６０】
なお、その他の点の構成については、前記第１の実施の形態と同様であるので、その説明を省略する。
【００６１】
次に、本実施の形態における媒体鑑別装置１０の動作について説明する。まず、辞書データの作成方法について説明する。
【００６２】
図１５は本発明の第２の実施の形態における辞書データを作成するための構成を示す図、図１６は本発明の第２の実施の形態における真正媒体の厚さを検出する動作を示す図、図１７は本発明の第２の実施の形態における３チャンネルの厚さ検出センサが検出した真正媒体の厚さデータを示す図、図１８は本発明の第１の実施の形態における５チャンネルの厚さ検出センサが検出した真正媒体の厚さデータを示す図である。
【００６３】
図１５において、３２は一群の真正媒体１１ａから成る媒体群、３３は該媒体群３２のスレッド部厚さデータを平均化して平均スレッド部厚さデータを作成する特徴データ集計部、３４は該特徴データ集計部３３によって作成された平均スレッド部厚さデータを辞書データとして出力し、辞書データ格納部３１に格納する辞書データ出力部である。
【００６４】
まず、媒体群３２の媒体１１は、厚さ検出装置１３に搬入され、厚さ検出センサ１４によって各部の厚さが検出される。なお、前記媒体１１は真正媒体１１ａである。そして、真正媒体１１ａの各部における上端ＢＴから下端ＢＢまでの範囲の厚さは、図１６に示されるように、１〜１０チャンネルの厚さ検出センサ１４の各々によって検出される。
【００６５】
媒体１１の厚さが検出されると、厚さデータ取得部２１は、１〜１０チャンネルの厚さ検出センサ１４の各々が検出した媒体１１の各部の厚さデータを取得し、厚さデータ格納部２２に格納する。図１７は、真正媒体１１ａにおけるセキュリティスレッド部１２の存在しない部分に対応する３チャンネルの厚さ検出センサ１４が検出した上端ＢＴから下端ＢＢまでの範囲の厚さデータを示している。また、図１８は、真正媒体１１ａにおけるセキュリティスレッド部１２の存在する部分に対応する５チャンネルの厚さ検出センサ１４が検出した上端ＢＴから下端ＢＢまでの範囲の厚さデータを示している。
【００６６】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【００６７】
そして、前記媒体群３２のすべての真正媒体１１ａについてのスレッド部厚さデータの取得が完了するまで、前述の動作を繰り返す。これにより、媒体群３２のすべての真正媒体１１ａについてのスレッド部厚さデータがスレッド部厚さデータ格納部２４に格納される。
【００６８】
続いて、厚さデータ解析部２５は、スレッド部厚さデータ格納部２４に格納されたスレッド部厚さデータの解析を行い、該スレッド部厚さデータにおける凹凸の位置のばらつき、及び、真正媒体１１ａの紙厚によるスレッド部厚さデータのレベルのばらつきについて、スレッド部厚さデータの波形の補正を行う。
【００６９】
次に、スレッド部厚さデータの波形の補正方法及び平均化方法について説明する。
【００７０】
図１９は本発明の第２の実施の形態におけるスレッド部厚さデータの波形の補正方法を示す図、図２０は本発明の第２の実施の形態におけるスレッド部厚さデータの波形の平均化方法を示す図である。なお、図１９において、（ａ）は基準波形を示し、（ｂ）は凹凸の位置を補正する前の波形を示し、（ｃ）は凹凸の位置を補正した後の波形を示し、（ｄ）はレベルを補正する前の波形を示し、（ｅ）はレベルを補正した後の波形を示している。また、図２０において、（ａ）〜（ｃ）は平均化の対象となる波形を示し、（ｄ）は平均化された波形を示している。
【００７１】
まず、スレッド部厚さデータにおける凹凸の位置の補正方法について説明する。
【００７２】
この場合、図１９（ａ）に示されるようなスレッド部厚さデータＤ１の波形を基準波形とする。また、スレッド部厚さデータＤ１の波形における第１番目の凸部の中心位置Ｔ１を基準とする。そして、図１９（ｂ）に示されるようなスレッド部厚さデータＤ２の波形を、第１番目の凸部の中心位置Ｔ２が前記スレッド部厚さデータＤ１の波形における第１番目の凸部の中心位置Ｔ１に一致するように、横軸方向に平行移動させる。これにより、図１９（ｃ）に示されるように、凹凸の位置が補正されたスレッド部厚さデータＤ３の波形を得ることができる。
【００７３】
次に、スレッド部厚さデータにおけるレベルの補正方法について説明する。
【００７４】
この場合も、図１９（ａ）に示されるようなスレッド部厚さデータＤ１の波形を基準波形とする。また、スレッド部厚さデータＤ１の平均値をＬ３とする。そして、図１９（ｄ）に示されるようなスレッド部厚さデータＤ４の波形を、スレッド部厚さデータＤ４の平均値Ｌ４が前記スレッド部厚さデータＤ１の平均値Ｌ３に一致するように、縦軸方向に平行移動させる。これにより、図１９（ｅ）に示されるように、レベルが補正されたスレッド部厚さデータＤ５の波形を得ることができる。
【００７５】
このようにして、厚さデータ解析部２５は、媒体群３２のすべての真正媒体１１ａについてのスレッド部厚さデータの波形の補正を行い、補正されたスレッド部厚さデータを特徴データ格納部２６に格納する。
【００７６】
続いて、特徴データ集計部３３は、特徴データ格納部２６に格納されているスレッド部厚さデータを読み込み、平均化を行う。この場合、図２０（ａ）〜（ｃ）に示されるようなスレッド部厚さデータＤ１、Ｄ３及びＤ５のような波形が補正されたスレッド部厚さデータを平均して、図２０（ｄ）においてＤ６として示されるような平均スレッド部厚さデータを作成する。すると、辞書データ出力部３４は、平均スレッド部厚さデータＤ６を辞書データとして出力し、辞書データ格納部３１に格納する。
【００７７】
次に、媒体１１が真正媒体１１ａであるか又はテープ貼付媒体１１ｂであるかを判定する動作について説明する。
【００７８】
図２１は本発明の第２の実施の形態における媒体のスレッド部厚さデータを辞書データと比較する動作を示す図である。なお、図において、（ａ）は辞書データを示し、（ｂ）は媒体のスレッド部厚さデータを示し、（ｃ）は媒体のスレッド部厚さデータを辞書データと比較を示している。
【００７９】
まず、媒体１１が厚さ検出装置１３に搬入され、厚さ検出センサ１４によって各部の厚さが検出される。この場合、前記媒体１１は、テープ１８がセキュリティスレッド部１２に貼付されたテープ貼付媒体１１ｂであるものとする。そして、テープ貼付媒体１１ｂの各部における上端ＢＴから下端ＢＢまでの範囲の厚さは、１〜１０チャンネルの厚さ検出センサ１４の各々によって検出される。
【００８０】
媒体１１の厚さが検出されると、厚さデータ取得部２１は、１〜１０チャンネルの厚さ検出センサ１４の各々が検出した媒体１１の各部の厚さデータを取得し、厚さデータ格納部２２に格納する。
【００８１】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【００８２】
続いて、厚さデータ解析部２５は、スレッド部厚さデータ格納部２４に格納されたスレッド部厚さデータの解析を行い、該スレッド部厚さデータにおける凹凸の位置のばらつき、及び、媒体１１の紙厚によるスレッド部厚さデータのレベルのばらつきについて、スレッド部厚さデータの波形の補正を行う。そして、厚さデータ解析部２５は、補正されたスレッド部厚さデータを特徴データ格納部２６に格納する。ここでは、図２１（ｂ）においてＤ８として示されるようなスレッド部厚さデータが特徴データ格納部２６に格納されたものとする。
【００８３】
続いて、判定部２７は、特徴データ格納部２６に格納されたスレッド部厚さデータＤ８と、辞書データ格納部３１にあらかじめ格納されている辞書データＤ７とを比較する。図２１（ｃ）は、実線で示されるスレッド部厚さデータＤ８と点線で示される辞書データＤ７とを、比較のために重ね合わせた状態を示している。
【００８４】
本実施の形態においては、辞書データＤ７とスレッド部厚さデータＤ８とのユークリッド距離を判定特徴として算出する。
【００８５】
前記ユークリッド距離は次の式（４）によって計算することができる。
【００８６】
【数２】
2009129390.tif 000004
ここで、ＹＦｅａｔはユークリッド距離、ｍは上端ＢＴから下端ＢＢまでの範囲において辞書データＤ７及びスレッド部厚さデータＤ８の値をピックアップした点の個数、Ｄｃｔは各点における辞書データＤ７の値、Ｐｆは各点におけるスレッド部厚さデータＤ８の値である。
【００８７】
そして、判定部２７は、次の式（５）及び（６）によって、媒体１１が真正媒体１１ａであるか又はテープ貼付媒体１１ｂであるかを判定する。
【００８８】
真正媒体１１ａである: ＹＦｅａｔ＜Ｔｙｄ  …式（５）
テープ貼付媒体１１ｂである: ＹＦｅａｔ≧Ｔｙｄ  …式（６）
ここで、Ｔｙｄは判定閾値である。
【００８９】
ユークリッド距離ＹＦｅａｔが大きいほど辞書データＤ７とスレッド部厚さデータＤ８との差が大きいことになるので、ユークリッド距離ＹＦｅａｔが判定閾値Ｔｙｄ以上であると、テープ貼付媒体１１ｂであると判定する。また、ユークリッド距離ＹＦｅａｔが小さいほど辞書データＤ７とスレッド部厚さデータＤ８との差が小さいことになるので、ユークリッド距離ＹＦｅａｔが判定閾値Ｔｙｄ未満であると、真正媒体１１ａであると判定する。そして、判定部２７の判定結果は、結果出力部２９が出力する。
【００９０】
このように、本実施の形態においては、真正媒体１１ａのスレッド部厚さデータを辞書データとして辞書データ格納部３１にあらかじめ格納しておき、厚さを検出した媒体１１のスレッド部厚さデータを前記辞書データと比較することによって、媒体１１が真正媒体１１ａであるか又はテープ貼付媒体１１ｂであるかを判定するようになっている。これにより、セキュリティスレッド部１２に貼付されたテープ１８の存在を高精度で検出することができる。
【００９１】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９２】
図２２は本発明の第３の実施の形態における媒体鑑別装置の構成を示すブロック図である。
【００９３】
図に示されるように、本実施の形態における媒体鑑別装置１０は、スレッド部厚さデータを複数の領域に分割して特徴抽出を行う領域別厚さデータ解析部４１、及び、領域別に分割されたスレッド部厚さデータからテープ貼付媒体１１ｂであるか否かを判定する判定部としての領域別特徴判定部４２を有する。なお、前記第１の実施の形態における厚さデータ解析部２５、判定部２７及び判定閾値格納部２８は省略されている。そして、特徴データ格納部２６は、領域別厚さデータ解析部４１のデータを格納し、結果出力部２９は領域別特徴判定部４２の判定結果を画面及びファイルに出力する。
【００９４】
なお、その他の点の構成については、前記第１の実施の形態と同様であるので、その説明を省略する。
【００９５】
次に、本実施の形態における媒体鑑別装置１０の動作について説明する。
【００９６】
図２３は本発明の第３の実施の形態における厚さ検出装置がテープ貼付媒体の厚さを検出する動作を示す図、図２４は本発明の第３の実施の形態における５チャンネルの厚さ検出センサが検出したテープ貼付媒体の厚さデータを示す図である。
【００９７】
まず、媒体１１が厚さ検出装置１３に搬入され、厚さ検出センサ１４によって各部の厚さが検出される。この場合、前記媒体１１は、図２３に示されるように、テープ１８がセキュリティスレッド部１２の半分に貼付されたテープ貼付媒体１１ｂであるものとする。すなわち、セキュリティスレッド部１２における上端ＢＴから中央ＢＣまでの範囲にテープ１８が貼付され、中央ＢＣから下端ＢＢまでの範囲には、テープ１８が貼付されていないものとする。そして、テープ貼付媒体１１ｂの各部における上端ＢＴから下端ＢＢまでの範囲の厚さは、１〜１０チャンネルの厚さ検出センサ１４の各々によって検出される。
【００９８】
媒体１１の厚さが検出されると、厚さデータ取得部２１は、１〜１０チャンネルの厚さ検出センサ１４の各々が検出した媒体１１の各部の厚さデータを取得し、厚さデータ格納部２２に格納する。
【００９９】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【０１００】
本実施の形態における５チャンネルの厚さデータ、すなわち、スレッド部厚さデータは、図２４に示されるようになっている。図２４において、Ｒ１はテープ１８が貼付された領域であり、Ｒ２はテープ１８が貼付されていない領域である。
【０１０１】
次に、領域別厚さデータ解析部４１は、スレッド部厚さデータ格納部２４に格納されたスレッド部厚さデータについて、領域を決定する。本実施の形態においては、領域を、短手方向に関して中央ＢＣで、領域Ｒ１と領域Ｒ２とに２分割する場合について説明する。なお、領域の分割数については、特に制限はなく、必要に応じて３つ以上の領域に分割することもできる。
【０１０２】
そして、領域別厚さデータ解析部４１は、領域Ｒ１及び領域Ｒ２におけるスレッド部厚さデータの分散Ｖを求める。なお、該分散Ｖは、前記第１の実施の形態において説明したように、前記式（１）によって計算することができる。この場合、テープ１８が貼付された領域Ｒ１では分散Ｖが小さく、テープ１８が貼付されていない領域Ｒ２では分散Ｖが大きい。そして、算出した領域Ｒ１及び領域Ｒ２におけるスレッド部厚さデータの分散Ｖの値を特徴データ格納部２６に格納する。
【０１０３】
続いて、領域別特徴判定部４２は、特徴データ格納部２６に格納されている領域Ｒ１の分散Ｖの値と領域Ｒ２の分散Ｖの値とを比較し、媒体１１が真正媒体１１ａであるか又はテープ貼付媒体１１ｂであるかを判定する。なお、本実施の形態においては、領域Ｒ１及び領域Ｒ２のそれぞれの分散Ｖの値の差を特徴として判定する。
【０１０４】
すなわち、領域Ｒ１の分散をＶｔとし、領域Ｒ２の分散をＶｂとし、
｜Ｖｔ−Ｖｂ｜≧Ｔａ
である場合は、媒体１１がテープ貼付媒体１１ｂであると判定し、
｜Ｖｔ−Ｖｂ｜＜Ｔａ
である場合は、媒体１１が真正媒体１１ａであると判定する。
【０１０５】
ここで、Ｔａは判定閾値である。
【０１０６】
そして、領域別特徴判定部４２の判定結果は、結果出力部２９によって出力される。
【０１０７】
このように、本実施の形態においては、スレッド部厚さデータを複数の領域に分割し、領域毎の分散の値を比較することによって、媒体１１が真正媒体１１ａであるか又はテープ貼付媒体１１ｂであるかを判定するようになっている。これにより、セキュリティスレッド部１２の半分にテープ１８が貼付された場合であっても、該テープ１８の存在を高精度で検出し、確実にテープ貼付媒体１１ｂであると判定することができる。
【０１０８】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【０１０９】
図２５は本発明の第４の実施の形態における媒体鑑別装置の構成を示すブロック図である。
【０１１０】
図に示されるように、本実施の形態における媒体鑑別装置１０は、スレッド部厚さデータの凹凸数の特徴抽出を行う凹凸特徴データ解析部５１、及び、凹凸数に基づいて媒体１１がテープ貼付媒体１１ｂであるか否かを判定する判定部としての凹凸特徴判定部５２を有する。なお、前記第１の実施の形態における厚さデータ解析部２５及び判定部２７は省略されている。そして、特徴データ格納部２６は、凹凸特徴データ解析部５１のデータを格納し、判定閾値格納部２８はテープ貼付媒体１１ｂであるか否かの判定に用いる判定閾値を格納し、結果出力部２９は凹凸特徴判定部５２の判定結果を画面及びファイルに出力する。
【０１１１】
なお、その他の点の構成については、前記第１の実施の形態と同様であるので、その説明を省略する。
【０１１２】
次に、本実施の形態における媒体鑑別装置１０の動作について説明する。
【０１１３】
図２６は本発明の第４の実施の形態における厚さ検出装置がテープ貼付媒体の厚さを検出する動作を示す図、図２７は本発明の第４の実施の形態における５チャンネルの厚さ検出センサが検出した真正媒体の厚さデータを示す図、図２８は本発明の第４の実施の形態における５チャンネルの厚さ検出センサが検出したテープ貼付媒体の厚さデータを示す図である。
【０１１４】
まず、媒体１１が厚さ検出装置１３に搬入され、厚さ検出センサ１４によって各部の厚さが検出される。この場合、前記媒体１１は、図２６に示されるように、テープ１８がセキュリティスレッド部１２の複数箇所（図に示される例においては、２箇所）に貼付されたテープ貼付媒体１１ｂであるものとする。すなわち、セキュリティスレッド部１２における上端ＢＴに隣接した部分と、下端ＢＢに隣接した部分とにテープ１８が貼付され、その他の部分には、テープ１８が貼付されていないものとする。そして、テープ貼付媒体１１ｂの各部における上端ＢＴから下端ＢＢまでの範囲の厚さは、１〜１０チャンネルの厚さ検出センサ１４の各々によって検出される。
【０１１５】
媒体１１の厚さが検出されると、厚さデータ取得部２１は、１〜１０チャンネルの厚さ検出センサ１４の各々が検出した媒体１１の各部の厚さデータを取得し、厚さデータ格納部２２に格納する。
【０１１６】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【０１１７】
本実施の形態における５チャンネルの厚さデータ、すなわち、スレッド部厚さデータは、図２８に示されるようになっている。図２８において、Ｒ３はテープ１８が貼付された領域であり、Ｔｈａは凹凸特徴抽出の凹凸判定閾値である。また、図２７には、比較のために、媒体１１が真正媒体１１ａである場合のスレッド部厚さデータが示されている。
【０１１８】
次に、凹凸特徴データ解析部５１は、スレッド部厚さデータ格納部２４に格納されたスレッド部厚さデータについて、凹凸判定閾値Ｔｈａを基準とし、該凹凸判定閾値Ｔｈａ以上の凸部の個数をカウントする。この場合、スレッド部厚さデータを上端ＢＴから下端ＢＢまでサーチし、凹凸判定閾値Ｔｈａを超えて次に凹凸判定閾値Ｔｈａ以下になるときに、凸部が１つあるとカウントする方法で凸部の個数をカウントする。
【０１１９】
そして、図２８に示される例の場合は、凸部の個数が３とカウントされ、凹凸特徴データ解析部５１の解析結果である「３」が特徴データ格納部２６に格納される。なお、本実施の形態における判定閾値格納部２８には、図２７に示されるような真正媒体１１ａのスレッド部厚さデータにおける凸部の個数である「５」が、判定閾値として格納されている。
【０１２０】
続いて、凹凸特徴判定部５２は、特徴データ格納部２６に格納された特徴データ「３」、及び、判定閾値格納部２８に格納されている判定閾値「５」を取得して判定する。その結果、特徴データ「３」が判定閾値「５」より少ないので、媒体１１は、テープ１８が貼付されたテープ貼付媒体１１ｂであると判定する。そして、凹凸特徴判定部５２の判定結果は、結果出力部２９によって出力される。
【０１２１】
このように、本実施の形態においては、スレッド部厚さデータの凸部の個数を凹凸判定閾値と比較して、媒体１１が真正媒体１１ａであるか又はテープ貼付媒体１１ｂであるかを判定するようになっている。これにより、セキュリティスレッド部１２の一部にテープ１８が貼付された場合であっても、該テープ１８の存在を高精度で検出し、確実にテープ貼付媒体１１ｂであると判定することができる。
【０１２２】
次に、本発明の第５の実施の形態について説明する。なお、第１〜第４の実施の形態と同じ構造を有するものについては、同じ符号を付与することによってその説明を省略する。また、前記第１〜第４の実施の形態と同じ動作及び同じ効果についても、その説明を省略する。
【０１２３】
図２９は本発明の第５の実施の形態における媒体鑑別装置の構成を示すブロック図である。
【０１２４】
図に示されるように、本実施の形態における媒体鑑別装置１０は、隣接チャンネル厚さデータ取得部６１、隣接チャンネル厚さデータ格納部６２、隣接チャンネル厚さデータ解析部６３、隣接チャンネル解析データ格納部６７、厚さ判定特徴データ解析部６４及び判定部としてのテープ貼り判定部６５を有する。なお、前記第１の実施の形態における厚さデータ解析部２５及び判定部２７は省略されている。
【０１２５】
ここで、隣接チャンネル厚さデータ取得部６１は、セキュリティスレッド部１２の隣接チャンネルの厚さデータを取得する。そして、隣接チャンネル厚さデータ格納部６２は、隣接チャンネル厚さデータ取得部６１が取得した厚さデータを格納する。
【０１２６】
また、隣接チャンネル厚さデータ解析部６３は、隣接チャンネルの厚さデータからセキュリティスレッド部１２の特徴解析を行うための基準データを抽出する。そして、隣接チャンネル解析データ格納部６７は、隣接チャンネル厚さデータ解析部６３によって解析されたデータを格納する。
【０１２７】
さらに、厚さ判定特徴データ解析部６４は、前記隣接チャンネル厚さデータ解析部６３のデータ及びスレッド部厚さデータ格納部２４に格納されている厚さデータから判定に用いる特徴抽出を行う。そして、テープ貼り判定部６５は、前記判定閾値格納部２８に格納されている判定閾値と特徴データ格納部２６に格納されている特徴データとを比較して、テープ１８が貼付されているか否かを判定する。
【０１２８】
そして、特徴データ格納部２６は、厚さ判定特徴データ解析部６４によって解析された特徴データを格納し、結果出力部２９は、テープ貼り判定部６５の判定結果を画面及びファイルに出力する。
【０１２９】
なお、その他の点の構成については、前記第１の実施の形態と同様であるので、その説明を省略する。
【０１３０】
次に、本実施の形態における媒体鑑別装置１０の動作について説明する。
【０１３１】
図３０は本発明の第５の実施の形態における５チャンネルの厚さ検出センサが検出した真正媒体の厚さデータを示す図、図３１は本発明の第５の実施の形態における５チャンネルの厚さ検出センサの出力が低い場合の真正媒体の厚さデータを示す図、図３２は本発明の第５の実施の形態におけるテープの影響による５チャンネルの厚さ検出センサが検出した真正媒体の厚さデータの変化を示す図、図３３は本発明の第５の実施の形態における５チャンネルの厚さ検出センサが検出したテープ貼付媒体の厚さデータを示す図、図３４は本発明の第５の実施の形態における４チャンネルの厚さ検出センサが検出した真正媒体の厚さデータを示す図である。
【０１３２】
まず、媒体１１が厚さ検出装置１３に搬入され、厚さ検出センサ１４によって各部の厚さが検出される。そして、テープ貼付媒体１１ｂの各部における上端ＢＴから下端ＢＢまでの範囲の厚さは、１〜１０チャンネルの厚さ検出センサ１４の各々によって検出される。
【０１３３】
媒体１１の厚さが検出されると、厚さデータ取得部２１は、１〜１０チャンネルの厚さ検出センサ１４の各々が検出した媒体１１の各部の厚さデータを取得し、厚さデータ格納部２２に格納する。
【０１３４】
続いて、スレッド部厚さデータ取得部２３は、厚さデータ格納部２２に格納された厚さデータの中から、セキュリティスレッド部１２が通過するチャンネルの厚さデータのみをスレッド部厚さデータとして取得する。本実施の形態においては、５チャンネルの厚さ検出センサ１４がセキュリティスレッド部１２の存在する部分に対応するものとする。したがって、前記スレッド部厚さデータ取得部２３は、媒体１１の搬送位置の計算結果に基づき、５チャンネルの厚さデータをスレッド部厚さデータとして取得し、スレッド部厚さデータ格納部２４に格納する。
【０１３５】
前記５チャンネルの厚さデータ、すなわち、スレッド部厚さデータは、媒体１１が真正媒体１１ａである場合、図３０に示されるようになる。なお、Ｌ５は真正媒体１１ａのスレッド部厚さデータの凸部のレベルを示し、Ｌ６は真正媒体１１ａのスレッド部厚さデータの凹部のレベルを示している。媒体１１本体の厚さはレベルＬ６に対応し、セキュリティスレッド部１２の凸部の厚さはレベルＬ５に対応する。
【０１３６】
ところで、厚さ検出センサ１４の出力が低い場合には、真正媒体１１ａの５チャンネルの厚さデータ、すなわち、スレッド部厚さデータは、図３１に示されるようになる。この場合、スレッド部厚さデータの凸部のレベルは、レベルＬ６に到達せず、より低いレベルを示すＬ７となる。
【０１３７】
これに対し、媒体１１がテープ貼付媒体１１ｂである場合、テープ１８がセキュリティスレッド部１２のスレッドウィンドウパタンの部分及びその周辺の部分の凹凸に密着しないので、テープ１８のプロフィールが図３２において太線で示されるようになる。したがって、スレッド部厚さデータは、媒体１１がテープ貼付媒体１１ｂである場合、図３３に示されるようになる。なお、Ｌ８はスレッド部厚さデータの凸部のレベルを示し、Ｌ９は真正媒体１１ａのスレッド部厚さデータの凹部のレベルを示し、Ｌ１０はテープ貼付媒体１１ｂのスレッド部厚さデータの凹部のレベルを示し、媒体１１本体の厚さはレベルＬ９に対応する。
【０１３８】
一方、隣接チャンネル厚さデータ取得部６１は、厚さデータ格納部２２に格納された厚さデータの中から、セキュリティスレッド部１２の隣接チャンネル厚さデータを取得する。本実施の形態においては、５チャンネルの厚さ検出センサ１４がセキュリティスレッド部１２の存在する部分に対応するので、４チャンネルの厚さ検出センサ１４が隣接チャンネルに対応するものとする。したがって、前記スレッド部厚さデータ取得部２３は、４チャンネルの厚さデータを隣接チャンネル厚さデータとして取得し、隣接チャンネル厚さデータ格納部６２に格納する。
【０１３９】
前記４チャンネルの厚さデータ、すなわち、隣接チャンネル厚さデータは、図３４に示されるようになる。隣接チャンネルにはセキュリティスレッド部１２が存在しないので、隣接チャンネル厚さデータには凹凸がない。なお、Ｌ６は媒体１１本体の厚さを示し、Ｌ１１は隣接チャンネル厚さデータの平均値を示している。
【０１４０】
続いて、隣接チャンネル厚さデータ解析部６３は、媒体１１の厚さを検出するために、隣接チャンネル厚さデータの平均値を算出し、隣接チャンネル解析データ格納部６７に格納する。
【０１４１】
ところで、厚さ検出センサ１４の出力が低い場合、スレッド部厚さデータは、図３１に示されるようになるので、凸部と凹部との振幅について、図３３に示されるような媒体１１がテープ貼付媒体１１ｂである場合のスレッド部厚さデータとの差があまりない。そのため、スレッド部厚さデータにおける凸部と凹部との振幅に基づき、真正媒体１１ａであるか又はテープ貼付媒体１１ｂであるかを判定することは困難である。
【０１４２】
そこで、本実施の形態においては、スレッド部厚さデータにおける凸部と凹部との振幅ではなく、隣接チャンネル厚さデータを用い、媒体１１の厚さを基準とし、該基準から凸部のレベルを示すレベルＬ５とレベルＬ８との差異を特徴として判定する。
【０１４３】
具体的には、図３１に示されるような厚さ検出センサ１４の出力が低い場合のスレッド部厚さデータについて、隣接チャンネル厚さデータの平均値を示すＬ１１を基準とし、スレッド部厚さデータにおける凸部のレベルであるＬ７の差異を、次の式（７）によって算出する。
【０１４４】
【数３】
2009129390.tif 000005
ここで、Ｆｔは判定特徴値、ｍは上端ＢＴから下端ＢＢまでの範囲においてスレッド部厚さデータの値をピックアップした点の個数、Ｔｌｉはｉ番目のスレッド部厚さデータ（例えば、図３３に示されるスレッド部厚さデータ）、Ｔａｖｅは隣接チャンネル厚さデータの平均値（例えば、図３４におけるＬ１１）である。
【０１４５】
そして、厚さ判定特徴データ解析部６４は、スレッド部厚さデータ格納部２４に格納されているスレッド部厚さデータ、及び、隣接チャンネル解析データ格納部６７に格納されている平均値Ｌ１１を入力として受け取り、前記式（７）によって判定特徴値Ｆｔを算出し、算出した判定特徴値Ｆｔを特徴データ格納部２６に格納する。
【０１４６】
続いて、テープ貼り判定部６５は、あらかじめ判定閾値格納部２８に格納されている判定閾値Ｔｌｅｖと特徴データ格納部２６に格納されている判定特徴値Ｆｔとを比較し、
Ｆｔ≧Ｔｌｅｖ                
である場合は、媒体１１がテープ貼付媒体１１ｂであると判定し、
Ｆｔ＜Ｔｌｅｖ                
である場合は、媒体１１が真正媒体１１ａであると判定する。
【０１４７】
そして、テープ貼り判定部６５の判定結果は、結果出力部２９によって出力される。
【０１４８】
このように、本実施の形態においては、厚さ検出センサ１４の出力が低い場合、隣接チャンネル厚さデータの平均値を基準として用い、該基準との差異の大きさによって、媒体１１が真正媒体１１ａであるか又はテープ貼付媒体１１ｂであるかを判定するようになっている。これにより、厚さ検出センサ１４の出力が低い場合であっても、テープ１８の存在を高精度で検出し、確実にテープ貼付媒体１１ｂであると判定することができる。
【０１４９】
なお、前記第１の実施の形態においては、スレッド部厚さデータの分散を用いた場合についてのみ説明したが、ユークリッド距離、シティブロック距離、マハラノビス距離等の距離計算を用いても、同様の効果を得ることができる。
【０１５０】
また、前記第２の実施の形態においては、辞書及びユークリッド距離を用いた場合についてのみ説明したが、シティブロック距離、マハラノビス距離等の距離計算や相関係数を用いても、同様の効果を得ることができる。
【０１５１】
さらに、前記第３の実施の形態においては、セキュリティスレッド部１２の上半分にテープ１８が貼付された場合についてのみ説明したが、セキュリティスレッド部１２の下半分にテープ１８が貼付された場合であっても、同様の効果を得ることができる。
【０１５２】
そして、前記第４の実施の形態においては、セキュリティスレッド部１２の上端に隣接する部分及び下端に隣接する部分にテープ１８が貼られた場合について説明したが、セキュリティスレッド部１２の凹部のどこか一部分にテープ１８が貼られた場合であっても、同様の効果を得ることができる。
【０１５３】
また、前記第４の実施の形態においては、スレッド部厚さデータの凸部の個数を用いる場合についてのみ説明したが、スレッド部厚さデータの凸部の長さや面積等を用いても、同様の効果を得ることができる。
【０１５４】
さらに、前記第５の実施の形態においては、基準値に対するスレッド部厚さデータにおける凸部の差異の平均値で判定する場合についてのみ説明したが、凹凸の振幅の特徴値（分散値、距離値等）と基準値に対しての凸部との差異の平均値とを組み合わせて判定するようにしても、同様の効果を得ることができる。
【０１５５】
なお、本発明は前記実施の形態に限定されるものではなく、本発明の趣旨に基づいて種々変形させることが可能であり、それらを本発明の範囲から排除するものではない。
【図面の簡単な説明】
【０１５６】
【図１】本発明の第１の実施の形態における厚さ検出装置の構成を示す平断面図である。
【図２】本発明の第１の実施の形態における媒体鑑別装置の構成を示すブロック図である。
【図３】本発明の第１の実施の形態における媒体を示す図である。
【図４】本発明の第１の実施の形態における厚さ検出装置の構成を示す側断面図である。
【図５】本発明の第１の実施の形態における厚さ検出装置が真正媒体の厚さを検出する動作を示す図である。
【図６】本発明の第１の実施の形態における３チャンネルの厚さ検出センサが検出した真正媒体の厚さデータを示す図である。
【図７】本発明の第１の実施の形態における５チャンネルの厚さ検出センサが検出した真正媒体の厚さデータを示す図である。
【図８】本発明の第１の実施の形態における厚さ検出装置がテープ貼付媒体の厚さを検出する動作を示す図である。
【図９】本発明の第１の実施の形態における３チャンネルの厚さ検出センサが検出したテープ貼付媒体の厚さデータを示す図である。
【図１０】本発明の第１の実施の形態における５チャンネルの厚さ検出センサが検出したテープ貼付媒体の厚さデータを示す図である。
【図１１】本発明の第１の実施の形態における真正媒体のスレッド部厚さデータを示す図である。
【図１２】本発明の第１の実施の形態におけるテープ貼付媒体のスレッド部厚さデータを示す図である。
【図１３】本発明の第１の実施の形態におけるテープの影響によるスレッド部厚さデータの変化を示す図である。
【図１４】本発明の第２の実施の形態における媒体鑑別装置の構成を示すブロック図である。
【図１５】本発明の第２の実施の形態における辞書データを作成するための構成を示す図である。
【図１６】本発明の第２の実施の形態における真正媒体の厚さを検出する動作を示す図である。
【図１７】本発明の第２の実施の形態における３チャンネルの厚さ検出センサが検出した真正媒体の厚さデータを示す図である。
【図１８】本発明の第１の実施の形態における５チャンネルの厚さ検出センサが検出した真正媒体の厚さデータを示す図である。
【図１９】本発明の第２の実施の形態におけるスレッド部厚さデータの波形の補正方法を示す図である。
【図２０】本発明の第２の実施の形態におけるスレッド部厚さデータの波形の平均化方法を示す図である。
【図２１】本発明の第２の実施の形態における媒体のスレッド部厚さデータを辞書データと比較する動作を示す図である。
【図２２】本発明の第３の実施の形態における媒体鑑別装置の構成を示すブロック図である。
【図２３】本発明の第３の実施の形態における厚さ検出装置がテープ貼付媒体の厚さを検出する動作を示す図である。
【図２４】本発明の第３の実施の形態における５チャンネルの厚さ検出センサが検出したテープ貼付媒体の厚さデータを示す図である。
【図２５】本発明の第４の実施の形態における媒体鑑別装置の構成を示すブロック図である。
【図２６】本発明の第４の実施の形態における厚さ検出装置がテープ貼付媒体の厚さを検出する動作を示す図である。
【図２７】本発明の第４の実施の形態における５チャンネルの厚さ検出センサが検出した真正媒体の厚さデータを示す図である。
【図２８】本発明の第４の実施の形態における５チャンネルの厚さ検出センサが検出したテープ貼付媒体の厚さデータを示す図である。
【図２９】本発明の第５の実施の形態における媒体鑑別装置の構成を示すブロック図である。
【図３０】本発明の第５の実施の形態における５チャンネルの厚さ検出センサが検出した真正媒体の厚さデータを示す図である。
【図３１】本発明の第５の実施の形態における５チャンネルの厚さ検出センサの出力が低い場合の真正媒体の厚さデータを示す図である。
【図３２】本発明の第５の実施の形態におけるテープの影響による５チャンネルの厚さ検出センサが検出した真正媒体の厚さデータの変化を示す図である。
【図３３】本発明の第５の実施の形態における５チャンネルの厚さ検出センサが検出したテープ貼付媒体の厚さデータを示す図である。
【図３４】本発明の第５の実施の形態における４チャンネルの厚さ検出センサが検出した真正媒体の厚さデータを示す図である。
【符号の説明】
【０１５７】
１０    媒体鑑別装置
１１    媒体
１１ａ    真正媒体
１１ｂ    テープ貼付媒体
１２    セキュリティスレッド部
１４    厚さ検出センサ
１８    テープ
２１    厚さデータ取得部
２３    スレッド部厚さデータ取得部
２５    厚さデータ解析部
２７    判定部
３１    辞書データ格納部
３３    特徴データ集計部
３４    辞書データ出力部
４１    領域別厚さデータ解析部
４２    領域別特徴判定部
５１    凹凸特徴データ解析部
５２    凹凸特徴判定部
６１    隣接チャンネル厚さデータ取得部
６３    隣接チャンネル厚さデータ解析部
６４    厚さ判定特徴データ解析部
６５    テープ貼り判定部
【図１】
2009129390.tif 000006
【図２】
2009129390.tif 000007
【図３】
2009129390.tif 000008
【図４】
2009129390.tif 000009
【図５】
2009129390.tif 000010
【図６】
2009129390.tif 000011
【図７】
2009129390.tif 000012
【図８】
2009129390.tif 000013
【図９】
2009129390.tif 000014
【図１０】
2009129390.tif 000015
【図１１】
2009129390.tif 000016
【図１２】
2009129390.tif 000017
【図１３】
2009129390.tif 000018
【図１４】
2009129390.tif 000019
【図１５】
2009129390.tif 000020
【図１６】
2009129390.tif 000021
【図１７】
2009129390.tif 000022
【図１８】
2009129390.tif 000023
【図１９】
2009129390.tif 000024
【図２０】
2009129390.tif 000025
【図２１】
2009129390.tif 000026
【図２２】
2009129390.tif 000027
【図２３】
2009129390.tif 000028
【図２４】
2009129390.tif 000029
【図２５】
2009129390.tif 000030
【図２６】
2009129390.tif 000031
【図２７】
2009129390.tif 000032
【図２８】
2009129390.tif 000033
【図２９】
2009129390.tif 000034
【図３０】
2009129390.tif 000035
【図３１】
2009129390.tif 000036
【図３２】
2009129390.tif 000037
【図３３】
2009129390.tif 000038
【図３４】
2009129390.tif 000039